(57)【要約】【課題】玉掛けワイヤー１１を付設した長尺体１から複数の適宜長さのブロック吊りワイヤー１２を垂設して、連節ブロックに装着する差込杆及び回動ストッパーを備えた吊り具本体２を前記ブロック吊りワイヤー１２に連結して、クレー機械でブロックを集積箇所の設置個所に運搬してブロック設置を行う連節ブロック用吊り具において、クレーン機械に旋回運搬によるブロックの揺れが生じても、正確な設置作業を実現できる吊り具を提供する。【解決手段】長尺体１と吊り具本体２の間にブロック吊りワイヤー１２が所定間隔で貫通する間隔保持体３を介装すると共に、間隔保持体３を吊り具本体２の頂部又は頂部近傍で衝突係止され且つ長尺体１の近傍位置での長尺体１に吊り下げ連結可能に設けてなる【選択図】図２
2018039630.tif 000002
【特許請求の範囲】
【請求項１】
玉掛けワイヤーを付設した長尺体から複数の適宜長さのブロック吊りワイヤーを垂設して、連節ブロックに装着する差込杆及び回動ストッパーを備えた吊り具本体を前記ブロック吊りワイヤーに連結してなる連節ブロック用吊り具において、長尺体と吊り具本体の間に前記各ブロック吊りワイヤーが所定間隔で貫通する間隔保持体を介装すると共に、前記間隔保持体が吊り具本体頂部又は頂部近傍で衝突係止され且つ長尺体近傍位置での長尺体に吊り下げ連結可能に設けられてなることを特徴とする連節ブロック用吊り具。
【請求項２】
ブロック吊りワイヤーが等間隔の６本である請求項１記載の連節ブロック用吊り具。
【請求項３】
間隔保持体の中央位置にブロック吊りワイヤーの間隔を調整する長さ調整機構を設けてなる請求項１又は２記載の連節ブロック用吊り具。
【請求項４】
間隔保持体の衝突係止構造を、吊り具本体のワイヤー連結箇所が嵌合係止する係止孔を設けて構成した請求項１乃至３記載の何れかの連節ブロック用吊り具。
【発明の詳細な説明】
【技術分野】
【０００１】
本発明は、河川の護岸工事、法面被覆工事等に採用される連節ブロック張工に使用する吊り具に関するものである。
【背景技術】
【０００２】
連節ブロックは、千鳥配置して鉄筋（結束線）で連結して固定配置されるものであるが、連節ブロックは相応の重量（単体で数十ｋｇ）があるので、クレーン機械で吊り上げて所定の設置個所に運搬設置する。
【０００３】
前記の吊り上げ運搬に際して、適宜な吊り具を使用するものであり、当該吊り具は吊り具本体と吊り具本体をクレーン機械で吊下げ可能とする鎖体等の吊下げ用部材で構成されており、吊り具本体は連節ブロックの連結用透孔に差し入れる差込杆と差込杆が差し込まれたブロックを抑える回動ストッパーを備える。
【０００４】
特に作業の効率化のために複数のブロックを一括して吊り上げ配置する吊り具も提案されている。例えば特許文献１（特開平９−２０２５８６号公報）の図１０には、玉掛けワイヤーを付設した長尺体（Ｈ鋼）に、６本の鎖体で吊り具本体を吊下げた器具が開示されている。
【０００５】
また特許文献２（特開２００８−２２２４１１号公報）には、単体の吊り具本体を採用せずに、長尺体に複数の差込縦杆及び回動ストッパーを設けた器具が示されている。
【先行技術文献】
【特許文献】
【０００６】
【特許文献１】特開平９−２０２５８６号公報。
【特許文献２】特開２００８−２２２４１１号公報。
【発明の概要】
【発明が解決しようとする課題】
【０００７】
特許文献１に示されているような複数の吊り具本体を並べて吊下げる構造を採用した場合は、器具自体の構造が簡易であり且つ運搬元となるブロック集積箇所で連節ブロックが正確に整列していなくとも連節ブロックへの吊り具本体の装着が容易であるが、設置作業に際して吊下げられている各連節ブロックがバラバラに揺れると、正確な位置決めが煩瑣である。
【０００８】
また一方特許文献２に示されている複数の差込杆を備えた器具では、器具の製造が煩瑣であると共に、集積箇所において予め設置配列と一致した整列を行っておく必要があり、作業全体の効率を考慮すると必ずしも便利な器具とは言えない。
【０００９】
そこで本発明は、集積箇所での連節ブロックの装着作業並びに工事箇所での設置作業を正確に且つ容易に行うことができる吊り具を提案したものである。
【課題を解決するための手段】
【００１０】
本発明の請求項１記載に係る連節ブロック用吊り具は、玉掛けワイヤーを付設した長尺体から複数の適宜長さのブロック吊りワイヤーを垂設して、連節ブロックに装着する差込杆及び回動ストッパーを備えた吊り具本体を前記ブロック吊りワイヤーに連結してなる連節ブロック用吊り具において、長尺体と吊り具本体の間に前記各ブロック吊りワイヤーが所定間隔で貫通する間隔保持体を介装すると共に、前記間隔保持体が吊り具本体頂部又は頂部近傍で衝突係止され且つ長尺体近傍位置での長尺体に吊り下げ連結可能に設けてられてなることを特徴とするものである。
【００１１】
而して前記の吊り具は、玉掛けワイヤーにクレーンフックを引掛けて連節ブロックを集積箇所から設置個所にクレーン機械による吊り上げ運搬を行なうものであり、間隔保持体は前記の運搬設置作業に際して、長尺体の近傍位置での吊り上げ連結状態と、前記連結状態を解除した衝突係止状態を切り替えて使用するものである。
【００１２】
連節ブロックの運搬開始前に、間隔保持体は吊り上げ連結状態として、吊り具本体をブロック集積箇所に移動させ、ブロック吊りワイヤーが緩む高さまでおろし、吊り具本体を連接ブロックに装着する。次に間隔保持体を地上まで下して長尺体との連結を解除し、当該状態で連節ブロックの吊り上げ運搬を行う。前記運搬作業に際して間隔保持体は連結状態が解除されているので、連節ブロック吊り上げ作業に伴って吊り具本体の位置又はその近傍まで下がり、衝突して係止される。
【００１３】
従って連節ブロックの吊り上げ運搬においては、吊り具本体（＝連節ブロック）が間隔保持体によって一定の間隔を保持され、そのままの状態で設置個所においてクレーンで下すと、各連節ブロックは所定位置に設置されることになる。そして連節ブロックの設置を終了すると一旦ブロック吊りワイヤーを緩めて、下がった長尺体に間隔保持体を吊り上げ連結状態として吊り上げ、未だブロック吊りワイヤーが緩んでいるときに設置したブロックから吊り具本体を取り外し、ブロック集積箇所に吊り上げ移動して次のブロックの運搬設置作業に移る。
【００１４】
また本発明の請求項２記載の連節ブロック用吊り具は、特にブロック吊りワイヤーを等価間隔の６本とするもので、ブロック３個を同時に運搬設置作業することができ、また両端を除いて４本を使用してブロック２個の同時作業を行うことができる。
【００１５】
また本発明の請求項３記載の連節ブロック用吊り具は、間隔保持体の中央位置にブロック吊りワイヤーの間隔を調整する長さ調整機構を設けてなるもので、ブロック運搬設置作業においてブロック間距離を調整することでブロックの曲線配置に対応できる。
【００１６】
また本発明の請求項４記載の連節ブロック用吊り具は、間隔保持体の衝突係止構造を、吊り具本体のワイヤー連結箇所が嵌合係止する係止孔を設けて構成したもので、間隔保持体の吊下げ連結を解除した状態でブロック吊り上げ作業を行うと、係止孔に吊り金具本体の頂部が嵌入して自然に係止状態となる。
【発明の効果】
【００１７】
本発明の構成は上記のとおりで、長尺体に複数の連節ブロックを吊下げるワイヤーを設けた吊り具において、途中にワイヤーの間隔保持体を介装するという簡易な構造で、クレーン運搬状態のまま正確な整列設置が可能となり、作業能率を高めるものである。
【図面の簡単な説明】
【００１８】
【図１】本発明の実施形態の正面図。
【図２】同図（ブロック吊り上げ状態）。
【図３】同要部斜視図。
【図４】同作業状態説明図（ブロック装着前）。
【図５】同図（ブロック装着状態）で（イ）は側面図（ロ）は斜視図。
【図６】同間隔保持体の係止状態の説明図。
【図７】同正面図（ブロック吊り上げ状態の別例）。
【発明を実施するための形態】
【００１９】
次に本発明の実施形態につて説明する。実施形態に示した連節ブロック用吊り具は、例えばＡ型と称される平面視十文字形状の連節ブロック（以下「ブロック」という）Ａを対象とし、３個吊り又は２個吊りに本発明を適用する例を示したもので、基本的に長尺体１と吊り具本体２と間隔保持体３で構成され、前記部材を吊り下げワイヤー等で連結してなるものである。
【００２０】
長尺体１は、適宜な規格のＨ鋼（規格表示１５０×７５×５×７ｍｍ）で形成された適宜な長さ（３個吊り用として５ｍ）のもので、上面に玉掛けワイヤー１１を連結してクレーン機械Ｂでの吊り上げ運搬を可能としたものである。
【００２１】
長尺体１の下面には、６本のブロック吊りワイヤー（以下「ブロックワイヤー」という）１２と、間隔保持体３を吊下げる保持体フック１３を垂設している。ブロックワイヤー１２は、３個のブロックＡの設置間隔に対応するブロックＡの連結用透孔の位置と一致する間隔で設けたもので、長さを２ｍ程度とし、下端に吊り具本体２を連結したものである。また保持体フック１３は、長尺体１の左右対象箇所に２カ所以上設けたもので、約３０〜４０ｃｍ垂下する長さで、先端が後述する間隔保持体３の鉤受部３２に着脱可能な構造に設けたものである。
【００２２】
吊り具本体２は、縦板板状の吊支部２１の下端からブロックＡの連結用透孔に挿入可能な構造の差込杆２２を前方に突設し、差込杆２２の上方に前記差込杆２２の上方に鉤状ストッパー部２３を回動自在に枢結して突設したものである。また特に吊支部２１の上端には山形状通し孔２４を形成してブロックワイヤー１２の下端を連結してなる。
【００２３】
間隔保持体３は、長尺体１の長さと対応した長さの角形鋼管長方形（規格表示４．５×１５０×８０）で形成したもので、ブロックワイヤー１２の間隔を保持するために、ブロックワイヤー１２が貫通する通過孔３１を設けて長尺体１と吊り具本体２の上下間に介装する。特に前記通過孔３１の下側通過孔３１ａは、吊り具本体２の上端部分（ブロックワイヤー１２を連結した山形状通し孔２４の部分）が嵌合する大きさ及び形状に形成する。
【００２４】
また上面には、保持体フック１３を掛け止めする鉤受部３２を設け、中央位置に長さ調整機構部３３を設ける。この長さ調整機構部３３は、例えば間欠的に複数の連結孔３３１を備えた角柱体３３２を間隔保持体３に抜き差し自在に挿着すると共に、間隔保持体３にボルト孔３３３を設け、角柱体３３２と間隔保持体３を貫通するボルト３３４にナット３３５を螺合して構成したものである。
【００２５】
次に前記の吊り具を使用してブロックＡを集積箇所から設置個所に運搬して設置する作業について説明する。
【００２６】
吊り具は、玉掛けワイヤー１１をクレーン機械Ｂのクレーンフックに連結して、長尺体１を常時吊り下げた状態で各作業を行うもので、ブロックＡの運搬設置作業開始前に、長尺体１を下げて間隔保持体３の鉤受部３２に保持体フック１３を掛け止めしておく。そして吊り具全体を吊り上げた状態でブロック集積箇所に移動させる（図４：運搬作業開始状態・設置作業終了状態）。
【００２７】
そこで吊り具本体２のブロックＡへの装着作業を行えるように、ブロックワイヤー１２が十分緩む高さまで下げて、吊り具本体２をブロックＡに装着する。
【００２８】
次に間隔保持体３を地上まで下して鉤受部３２から保持体フック１３を外してブロックＡの吊り上げ運搬を行う。この作業時には間隔保持体３は自由落下状態であるので、吊り具持ち上げに伴って間隔保持体３は吊り具本体２に近接して最終的に衝突することになる。
【００２９】
間隔保持体３が吊り具本体２に衝突すると、間隔保持体３の自重で下側通過孔（係止孔）３１ａに吊り具本体２の頂部が嵌合して、保持間隔体３は吊り具本体２に係止されることになる（図５，６）。
【００３０】
前記の間隔保持体３と吊り具本体２が係止状態でブロック設置個所まで吊り上げ運搬され、そのまま設置個所にブロックを下ろして設置する。即ち吊り具本体２（＝連節ブロックＡ）が間隔保持体３によって一定の間隔を保持されているので、ブロックＡが横ずれを生ずることなく一定の間隔を保って運搬され設置される。
【００３１】
ブロックＡの設置作業を終了すると、長尺体１を保持体フック１３の掛け止め可能な高さまで下げ、保持体フック１３を鉤受部３２に掛け止めして引き上げ、間隔保持体３が邪魔にならない状態まで吊り上げた後、設置されたブロックＡから吊り具本体２を取り外し、そして吊り具全体を吊り上げてブロック集積箇所まだ旋回移動して次回の運搬作業に入る。
【００３２】
このように本吊り具は、複数のブロックＡの旋回運搬作業において、間隔保持体３で吊り具本体２の位置が一定に保持されるので、ブロックの揺れによる間隔変更が生じないので、そのまま設置作業を行うことができるものである。
【００３３】
また上記説明は１回で３個のブロックＡの運搬設置作業の例で説明したが、上記実施形態では、２個のブロックＡの運搬も可能であり、その際にはブロックワイヤー１２（吊り具本体２）の両端部分を除いた４本で２個のブロックの吊り上げを行うことで実施できる（図７）。
【００３４】
特にブロックＡの設置が曲面配置の場合には、平面配置の場合とは異なるブロック間隔となるので、その際には長さ調整機構部３３による調整（角柱体３３２の挿入長の変更）で対応することができる。
【００３５】
例えば間隔保持体３と吊り具本体２の係止も、係止孔（下側通過孔３１ａ）の嵌合係止に限らず、単なる衝突係止で可能であり、或いは吊り具本体２の頂部近傍のブロックワイヤー１２に適宜なストッパー用の突出部分を設けて衝突係止する構成であっても良い。
【００３６】
更に吊り具本体２の構成は全く任意であり、ブロックＡが着脱装着可能な構造であれば良いし、その構造も使用対象の連節ブロックの規格・形状に対応すれば良いものであり、１回の運搬設置作業のブロック数に対応する吊り具とすることも任意であり、当該作業ブロック数に応じて各部材の数や寸法構成を定めても良いものである。
【符号の説明】
【００３７】
１      長尺体
１１    玉掛けワイヤー
１２    ブロック（吊り）ワイヤー
１３    保持体フック
２      吊り具本体
２１    吊支部
２２    差込杆
２３    鉤状スットパー部
２４    山形状通し孔
３      間隔保持体
３１    通過孔
３１ａ  下側通過孔（係止孔）
３２    鉤受部
３３    長さ調整機構部
３３１    連結孔
３３２    角柱体
３３３    ボルト孔
３３４    ボルト
３３５    ナット
【図１】
2018039630.tif 000003
【図２】
2018039630.tif 000004
【図３】
2018039630.tif 000005
【図４】
2018039630.tif 000006
【図５】
2018039630.tif 000007
【図６】
2018039630.tif 000008
【図７】
2018039630.tif 000009